(57)【要約】      （修正有）【課題】コストが掛からない割には柄を簡単に変化させることができる雅趣に富んだ襟巻きを提供する。【解決手段】襟巻きは、複数枚重ねた柄の異なる横長の布地において、その長手方向に、布地を貫通する複数の切れ目１１ａを有し、横長の布地の左右の端部１３のそれぞれが、近い方の切れ目に挿入され、切れ目の箇所に、挿入された左右の両端部をそれぞれ左右に引っ張ることにより形成されたねじりによる縄目模様を有することを特徴とする。【選択図】図３
0003230724.tif 000002
【実用新案登録請求の範囲】
【請求項１】
１枚からなる横長の布地又は複数枚重ねた横長の布地において、その長手方向に、布地を貫通する複数の切れ目を有する
ことを特徴とする襟巻き。
【請求項２】
複数枚重ねた柄の異なる横長の布地において、その長手方向に、布地を貫通する複数の切れ目を有する
ことを特徴とする襟巻き。
【請求項３】
前記切れ目が横長の布地の長手方向に沿って平行に形成されている
ことを特徴とする請求項１又は２に記載の襟巻き。
【請求項４】
前記切れ目が、横長の布地の幅方向中央に形成されている
ことを特徴とする請求項３に記載の襟巻き。
【請求項５】
前記横長の布地の左右の端部のそれぞれが、近い方の前記切れ目に挿入され、
当該切れ目の箇所に、前記挿入された左右の両端部をそれぞれ左右に引っ張ることにより形成されたねじりによる縄目模様を有する
ことを特徴とする請求項１〜４のいずれか１項に記載の襟巻き。
【考案の詳細な説明】
【技術分野】
【０００１】
本考案は、襟巻きに関し、特に雅趣に富んだ襟巻きに関する。
【背景技術】
【０００２】
従来より、布地に柄が描かれた襟巻きが多用されている。
【考案の概要】
【考案が解決しようとする課題】
【０００３】
従来の襟巻きでは、柄が決まっているために雅趣の変化に乏しいものであった。
【０００４】
そこで、本考案者は、鋭意研究を重ね、コストが掛からない割には柄を簡単に変化させることができる雅趣に富んだ襟巻きを完成させた。
【課題を解決するための手段】
【０００５】
本考案の請求項１に係る襟巻きは、１枚からなる横長の布地又は複数枚重ねた横長の布地において、その長手方向に、布地を貫通する複数の切れ目を有することを特徴とする。
【０００６】
本考案の請求項２に係る襟巻きは、複数枚重ねた柄の異なる横長の布地において、その長手方向に、布地を貫通する複数の切れ目を有することを特徴とする。
【０００７】
本考案の請求項３に係る襟巻きは、前記請求項１又は２の構成に加えて、前記切れ目が横長の布地の長手方向に沿って平行に形成されていることを特徴とする。
【０００８】
本考案の請求項４に係る襟巻きは、前記請求項３の構成に加えて、前記切れ目が、横長の布地の幅方向中央に形成されていることを特徴とする。
【０００９】
本考案の請求項５に係る襟巻きは、前記請求項１〜４のいずれかの構成に加えて、前記横長の布地の左右の端部のそれぞれが、近い方の前記切れ目に挿入され、当該切れ目の箇所に、前記挿入された左右の両端部をそれぞれ左右に引っ張ることにより形成されたねじりによる縄目模様を有することを特徴とする。
【００１０】
本考案の襟巻きを上記のように構成したことにより、以下の作用がある。
【００１１】
すなわち、布地の端部を切れ目に通して引っ張ると、布地の端部は１回転することになる。そのため、切れ目の箇所で布地にねじれが生じて網目模様となり、複数枚重ねた布地でも各布地が分離しなくなる。その理由は、布地の端部それぞれを切れ目に通した後、布地の両端部を引っ張って形を整えると、布地全体から見ると前述したように１回転することになるため、切れ目付近の両側の布地は縄状にねじれるので、重ねた布地が離れなくなる。この離れなくなった重ね合わせの布地を１枚ずつ分離するには、逆に切れ目から布地の端部を引き抜いて元に戻せばよい。このように複数枚の布地を重ね合わせていても、ボタン、紐、ホックやチャックなどの止定具でつなぎ止めたり、縛るものを使用せずとも、布地の端部を切れ目に通して引っ張るだけで重ね合わせた布地は分離することがなく、布地が汚れたようなときには、逆の操作をすれば、重ね合わせた布地を１枚ずつ分離できるので、洗濯やアイロンがけが容易にできる。
【００１２】
本考案の襟巻きは、薄い布地を複数枚重ね合わせて保温力を向上させたものであり、布地を重ねる枚数は任意でよいが、例えば２〜５枚が適当である。また、布地の大きさは任意であるが、襟巻きとして使用できる布地の大きさとなる。例えば、１ｍまでの短い布地の場合には、切れ目を２箇所形成し、それ以上の長い布地の場合には、切れ目を４箇所形成する。
【００１３】
重ね合わせる布地の大きさは、それぞれ異なっていてもよいが、切れ目の位置は統一させておくことが必要であり、切れ目の位置がズレていると布地の端部を通すことができなくなる。例えば、一直線上で距離と位置とを合わせ、切れ目の大きさ（任意であるが布地の端部を通し、その後、引っ張って襟巻き状にするために１０ｃｍ程度の長さが適当である）を合わせておく。
【００１４】
また、切れ目に布地の端部を通しやすくするために、布地の幅方向両端部を切れ目の位置まで巻き寿司状に巻き付け、巻き付けた後の細くまとまった布地の端部を丸まった側から切れ目に通すと通しやすくなる。丸まった布地の端部を通した後、両端部を引っ張るとほぼ元の布地の長さ（切れ目の箇所で生じるねじれの分だけ短くなる）に戻る。その後、形を整えれば、本考案の襟巻きが完成する。
【考案の効果】
【００１５】
本考案における襟巻きは、上記のように構成したので、切れ目を利用して横長の布地の端部を挿入して引っ張ることにより、ねじりによる縄目形状を有することになるので、１枚の布地で構成した場合でも、ねじれにより表の柄と裏の柄とによる縄目模様が表れるので、雅趣に富んだものとなる。複数枚の布地を重ね合わせた場合には、各布地の表裏の柄がねじれにより交互に現出する縄目模様が表れるので、より一層雅趣に富んだものとなる。
【００１６】
すなわち、本考案に係る襟巻きは、布地を複数枚重ね合わせて構成した場合には、各布地における色や柄が重なり合って縄目状に表れるため、それぞれの色や柄の重なり合いがどのような美しい絵や柄に変化するのか、また、どのような感覚や見映えがするのかを、本考案の襟巻きを使用する人は楽しむことができる。また、布地１枚を使用する場合でも、同様に布地の端部を切れ目に通せば、縄目模様が表れるので、色、柄及び形状の変化を楽しむことができるものである。
【図面の簡単な説明】
【００１７】
【図１】本考案の実施例１に係る襟巻きを構成する布地の一部省略斜視図である。
【図２】図１における布地の幅方向両端部を丸めて行く段階を示す部分斜視図である。図中の（ａ）は巻き始めを示し、図中の（ｂ）はひと巻きした状態を示し、図中の（ｃ）は、巻き終わった状態を示す。
【図３】図２における幅方向両端部を丸めた布地の端部を切れ目に挿入し、挿入した布地の端部を引っ張った状態までを段階的に示した部分斜視図である。図中の（ａ）は切れ目に挿入しようとする状態を示し、図中の（ｂ）は切れ目に挿入した状態を示し、図中の（ｃ）は布地の端部を引っ張った状態を示す。
【図４】図３における切れ目の箇所でねじれによる縄目模様が形成された状態を示す部分拡大斜視図である。
【図５】本考案の実施例２に係る襟巻きを構成する布地の一部省略斜視図である。
【図６】図５における布地の幅方向両端部を丸めて行く段階を示す部分斜視図である。図中の（ａ）は巻き始めを示し、図中の（ｂ）はひと巻きした状態を示し、図中の（ｃ）は、巻き終わった状態を示す。
【図７】布地の幅方向両端部を丸めた布地の端部を第２切れ目に挿入して、引っ張った状態を示す部分斜視図である。
【図８】図７における端部を引っ張った布地によりねじれによる縄目模様が形成される状態を示す部分拡大斜視図である。
【考案を実施するための形態】
【００１８】
次に本考案の好適な実施例を添付の図面に基づいて詳細に説明する。図１〜図４は実施例１を示し、図５〜図８は実施例２を示す。
【実施例１】
【００１９】
本実施例は、図１に示すように、複数枚の横長の布地（図が複雑になることを避けて理解を容易にするために２枚の布地のもの（１枚は無地、もう１枚は斜線模様）を示しているが、これに限られるものではない）を使用し、切れ目を両端部に１箇所ずつ形成した例である。もちろん、１枚の布地を使用した場合も同様のこととなる。
【００２０】
図１における上側布地１０ａ及び下側布地１０ｂ（総称する場合は布地１０という）は、それぞれ約１ｍの長さ、幅約１５ｃｍの大きさで、薄地の布である。これら上側布地１０ａ及び下側布地１０ｂを矢符ａで示すように重ね合わせて布地１０が構成される。なお、大きさは前記のものに限られない。
【００２１】
各布地１０ａ、１０ｂの長手方向の両端部には、各布地１０ａ、１０ｂの幅方向中間位置に長さ１０ｃｍ程度の切れ目１１ａ、１１ｂ（総称する場合は切れ目１１という）が形成されている。そして、図２に示すように、布地１０の幅方向両端側から、前記切れ目１１に向かって、矢符ｂ１、ｂ２で示すように、ちょうど巻き寿司を巻くような感じで巻いていくと、二つの巻き山部１２ａ、１２ｂが形成された細幅の形態となる。このように細幅に巻く理由は、次記するように、布地１０の端部を切れ目１１に通しやすくするためである。
【００２２】
図３は、前述したように、切れ目１１ａに布地１０の長手方向の端部１３（切れ目１１ａに近い方の端部）を挿入する状態を示す。まず、前記したように巻き終わった布地１０を巻き山部１２ａ、１２ｂを上側にして、端部１３を矢符ｃ１（図３中の（ａ）から（ｂ）まで）で示すように切れ目１１ａに挿入し、挿入後に矢符ｃ２で示すように布地の端部１３を引っ張ると、切れ目１１ａの箇所で布地１０が１回転して、図３中の（ｃ）及び図４に示すように、この１回転によるねじれにより縄目１４が形成される。この縄目１４においては、２枚重ねの布地１０のうち、図１に示す下側布地１０ｂの柄（斜線模様）が部分的に表れることにより、縄目模様が形成され、柄や色彩が変化する。この図３に示す操作を布地１０のもう一方の端部についても同様に、切れ目１１ｂに端部を挿入して引っ張ると同様に縄目模様が形成され、本実施例における雅趣に富んだ柄の襟巻きが完成する。
【００２３】
なお、切れ目１１の長さに余裕があれば、図３に示した布地１０の端部１３を切れ目１１ａに再度挿入すると布地が２回転することになり、２重の縄目模様が形成されるので、より一層雅趣に富んだ柄となる。
【実施例２】
【００２４】
図５における上側布地２０ａ及び下側布地２０ｂ（総称する場合は布地２０という）は、それぞれ約１．５ｍの長さ、幅約２５ｃｍの大きさで、薄地の布である。これら上側布地２０ａ及び下側布地２０ｂを矢符ｄで示すように重ね合わせて布地２０が構成される。なお、大きさは前記のものに限られない。
【００２５】
各布地２０ａ、２０ｂの長手方向の両端部には、各布地２０ａ、２０ｂの幅方向中間位置に長さ１０ｃｍ程度の切れ目２１ａ１、２１ａ２、２１ｂ１、２１ｂ２（総称する場合は切れ目２１という）が形成されている。そして、図６に示すように、布地２０の幅方向両端側から、前記切れ目２１に向かって、矢符ｅ１、ｅ２で示すように、ちょうど巻き寿司を巻くような感じで巻いていくと、二つの巻き山部２２ａ、２２ｂが形成された細幅の形態となる。このように細幅に巻く理由は、次記するように、布地２０の両端部を切れ目２１に通しやすくするためであり、実施例１における図３を用いて説明したのと同様に、切れ目２１ａ１に布地２０の長手方向の端部２３を挿入し、そして端部２３を引っ張ると、１つ目の縄目２４が形成される。本実施例においては、１つ目の縄目２４を形成した後に、布地２０の長手方向の端部２３を切れ目２１ａ２に挿入し、端部２３を引っ張って、図７に示すように、２つ目の縄目２５を形成する。
【００２６】
そうすると、図８に示すように、上記の縄目２４においては、２枚重ねの布地２０のうち、図５に示す下側布地２０ｂの柄（斜線模様）が部分的に表れることにより縄目模様が形成され、柄や色彩が変化する。また、上記の縄目２５においても、図８に示すように、２枚重ねの布地２０のうち、図５に示す下側布地２０ｂの柄（斜線模様）が部分的に表れることにより２箇所の縄目模様が形成され、柄や色彩が変化する。この操作を布地２０のもう一方の端部についても同様に、切れ目２１ｂ１に端部を挿入し、端部を引っ張って１つ目の縄目を形成し、その後、切れ目２１ｂ２に端部を挿入し、端部を引っ張って２つ目の縄目を形成すると、布地２０の長手方向の両端部それぞれに２箇所の合計４箇所の縄目模様が形成されるので、雅趣に富んだ柄の襟巻きが完成する。
【００２７】
なお、切れ目２１の長さに余裕があれば、布地２０の端部２３を切れ目１２ａ１に２回挿入すると布地が２回転することになり、２重の縄目模様が形成され、さらに端部２３を切れ目２１ａ２に２回挿入すると布地が２回転することになり、２重の縄目模様が形成される。これを布地２０の両端部における切れ目２１それぞれについて行えば、２重の網目模様が合計４箇所形成されることとなり、より一層雅趣に富んだ柄となる。
【００２８】
以上、本考案のいくつかの実施形態を説明したが、この実施形態は、例として提示したものであり、考案の範囲を限定することは意図していない。この実施形態は、その他の様々な形態で実施されることが可能であり、考案の要旨を逸脱しない範囲で、種々の省略、置き換え、変更を行うことができる。この実施形態やその変形は、考案の範囲や要旨に含まれると同様に、実用新案登録請求の範囲に記載された考案とその均等の範囲に含まれるものである。
【符号の説明】
【００２９】
１０・・・布地
１０ａ・・上側布地
１０ｂ・・下側布地
１１、１１ａ、１１ｂ・・・切れ目
１２ａ、１２ｂ・・・巻き山部
１３・・・布地の端部
１４・・・縄目
２０・・・布地
２０ａ・・上側布地
２０ｂ・・下側布地
２１、２１ａ１、２１ａ２、２１ｂ１、２１ｂ２・・・切れ目
２２ａ、２２ｂ・・・巻き山部
２３・・・布地の端部
２４、２５・・・縄目
【図１】
0003230724.tif 000003
【図２】
0003230724.tif 000004
【図３】
0003230724.tif 000005
【図４】
0003230724.tif 000006
【図５】
0003230724.tif 000007
【図６】
0003230724.tif 000008
【図７】
0003230724.tif 000009
【図８】
0003230724.tif 000010